(57)【要約】【課題】  複数の廃棄物処理予定区域に屋根を移動して廃棄物の埋め立て作業や、投入作業や、搬入作業を行う場合において、屋根移動に伴うコストを削減でき、また、屋根の移動作業をスムーズに行えるようにする。【解決手段】  廃棄物処理予定区域に設ける屋根を、複数の骨格部材間にシートが張られて構成される屋根１で構成し、この屋根付き廃棄物処理予定区域（埋立ピット４）に対する廃棄物７の埋め立て作業後や、投入作業後や、搬入作業後に、上記屋根を持ち上げてから他の廃棄物処理予定区域（埋立ピット５、６）まで移動して他の廃棄物処理予定区域の屋根１を構成した後に、当該他の廃棄物処理予定区域に対する廃棄物の埋め立て作業や、投入作業や、搬入作業を行うようにした。【選択図】        図３
2005087792.tif 000002
【特許請求の範囲】
【請求項１】
廃棄物処理予定区域に設ける屋根を、複数の骨格部材間にシートが張られて構成される屋根で構成し、この屋根付き廃棄物処理予定区域に対する廃棄物の埋め立て作業後や、投入作業後や、搬入作業後に、上記屋根を持ち上げてから他の廃棄物処理予定区域まで移動して他の廃棄物処理予定区域の屋根を構成した後に、当該他の廃棄物処理予定区域に対する廃棄物の埋め立て作業や、投入作業や、搬入作業を行うことを特徴とする廃棄物処理方法。
【請求項２】
上記屋根を揚重機で持ち上げて他の廃棄物処理予定区域まで移動したことを特徴とする請求項１に記載の廃棄物処理方法。
【請求項３】
屋根を分割して移動することを特徴とする請求項１又は請求項２に記載の廃棄物処理方法。
【請求項４】
屋根は屋根頂部から下方に延長する一対の骨格部材間にシートが張られて成る屋根ユニットを複数組み合せて構成されたことを特徴とする請求項１ないし請求項３のいずれかに記載の廃棄物処理方法。
【請求項５】
骨格部材はアルミ合金により形成されたことを特徴とする請求項１ないし請求項４のいずれかに記載の廃棄物処理方法。
【発明の詳細な説明】
【技術分野】
【０００１】
本発明は、複数の廃棄物処理予定区域に屋根を移動して廃棄物の埋め立て作業や、投入作業や、搬入作業を行う廃棄物処理方法に関する。
【背景技術】
【０００２】
従来、廃棄物を投棄して埋め立てるために複数の単位埋立ピットを区画形成し、これら埋立ピットの土留壁上にレールを設けるとともに、埋立ピットを覆う屋根の下部にはレールを走行する車輪を設け、これらレール及び車輪から成る移動機構を介して複数の埋立ピット間で屋根を移動できるようにし、１つの埋立ピットに対する埋立処理が終わる毎に次の埋立ピットに屋根を水平移動するようにした廃棄物処理方法がある（例えば、特許文献１参照）。
【特許文献１】特許第２８８４２２９号公報
【発明の開示】
【発明が解決しようとする課題】
【０００３】
上述の従来技術では、屋根移動のために移動機構を設けなくてはならず、コストが嵩む。また、経時により移動機構のレールや車輪がさび付いたりして、屋根の移動作業をスムーズに行えない場合がある。
【課題を解決するための手段】
【０００４】
本発明に係る廃棄物処理方法は、廃棄物処理予定区域に設ける屋根を、複数の骨格部材間にシートが張られて構成される屋根で構成し、この屋根付き廃棄物処理予定区域に対する廃棄物の埋め立て作業後や、投入作業後や、搬入作業後に、上記屋根を持ち上げてから他の廃棄物処理予定区域まで移動して他の廃棄物処理予定区域の屋根を構成した後に、当該他の廃棄物処理予定区域に対する廃棄物の埋め立て作業や、投入作業や、搬入作業を行うようにした。また、屋根を揚重機で持ち上げて他の廃棄物処理予定区域まで移動した。また、屋根を分割して移動した。また、屋根は屋根頂部から下方に延長する一対の骨格部材間にシートが張られて成る屋根ユニットを複数組み合せて構成した。また、骨格部材はアルミ合金により形成されたものを用いた。
【発明の効果】
【０００５】
本発明によれば、廃棄物処理予定区域に設ける屋根を、複数の骨格部材間にシートが張られて構成される屋根で構成し、この屋根付き廃棄物処理予定区域に対する廃棄物の埋め立て作業後や、投入作業後や、搬入作業後に、上記屋根を持ち上げてから他の廃棄物処理予定区域まで移動して他の廃棄物処理予定区域の屋根を構成した後に、当該他の廃棄物処理予定区域に対する廃棄物の埋め立て作業や、投入作業や、搬入作業を行うので、屋根移動に伴うコストを削減でき、また、屋根の移動作業をスムーズに行える。また、屋根を揚重機で持ち上げて他の廃棄物処理予定区域まで移動することにより、屋根の移設作業が容易になる。また、屋根を分割して移動するようにすれば、小型の揚重機で屋根を移動させることができる。また、屋根は屋根頂部から下方に延長する複数の骨格部材間にシートが張られて成る屋根としたので、隣接する骨格部材同士を固定することで屋根を形成でき、隣接する骨格部材同士の固定を解除することで分割できるので、取り扱いが容易であり、屋根移動、屋根組立作業を容易にできる。また、骨格部材をアルミ合金により形成したので、廃棄物に対する耐食性を保て、また、屋根の軽量化が図れる。また、屋根ユニットを組み換えることができるので、埋立ピットの開口部の大きさに柔軟に対応できる。
【発明を実施するための最良の形態】
【０００６】
図１は屋根の斜視図、図２は廃棄物処分場を示す図、図３は廃棄物処理方法を示す図である。屋根１は、例えば図１に示すように複数の屋根ユニットにより構成され、妻側に配置される屋根ユニット２Ａ，２Ａは、２本の骨格部材２ａ，２ｂ間にシート２ｄが張設されており、また、妻側に位置する骨格部材２ａの屋根頂部に相当する箇所から下方に延長するように骨格部材２ｃが設けられており、この骨格部材２ｃと骨格部材２ａ間にもシート２ｄが張設されている。中央側に配置される屋根ユニット２Ｂ，２Ｂは、２本の骨格部材２ｂ，２ｂ間にシート２ｄが張設されている。シート２ｄは例えばポリエステル織布等のシートを用いる。各屋根ユニット２Ａ，２Ｂ，２Ｂ，２Ａは、隣合う骨格部材２ｂ，２ｂが適当な固定手段（図示せず）で固定されて、これにより、屋根ユニット２Ａ，２Ｂ，２Ｂ，２Ａとシート２ｄとで屋根面と全側面とが閉塞された屋根１が構成される。従って、固定手段による固定を解除することで各屋根ユニット２Ａ，２Ｂ，２Ｂ，２Ａに分離することができる。即ち、屋根１は屋根頂部から下方斜めに延長する一対の骨格部材間にシートが張られて成る屋根ユニットを複数組み合せて構成されており、隣合う骨格部材２ｂ，２ｂを固定することにより屋根１が形成され、固定を解除することで各屋根ユニット２Ａ，２Ｂ，２Ｂ，２Ａに分離することができるので、取り扱いが容易で、かつ、軽量であり、屋根移動、屋根組立作業を容易にできる。尚、各屋根ユニットの骨格部材間には適宜間隔で横支持棒材２ｅが設けられている。この横支持棒材２ｅとして伸縮可能な棒材を用いれば、シート２ｄの張り具合を調整できる。２ｇは出入口である。
屋根１の形状は、骨格部材の形状、配置等を工夫することにより、様々な形状に設定でき、屋根ユニットの大きさや数等により、大きさを自由に設定できる。
骨格部材２ａ，２ｂ，２ｃ及び横支持棒材２ｅは例えば木や、スチール，アルミ合金，マグネシウム合金等の金属をパイプ材やアングル材等に加工した軽量かつ強度の高いものを用いればよい。特にアルミ合金で形成されたものを用いることにより、廃棄物から排出する塩素ガス等で腐食しにくく、耐食性を保て、また、屋根１の軽量化が図れる。
【０００７】
例えば図２に示すようにコンクリート３で３つに区画されて横に並ぶように同一水平レベルに形成された廃棄物処理予定区域としての埋立ピット４，５，６を備えた廃棄物処分場１０において、屋根１を組み立てて図３の実線で示すように屋根１をクレーン等の揚重機で持ち上げて第１の埋立ピット４の上に移動してきて第１の埋立ピット４の上を覆うように設置した後に第１の埋立ピット４に対する廃棄物７の埋立処理を行う。第１の埋立ピット４に対する廃棄物埋立処理が終了したら、第１の埋立ピット４の上を覆うように設置されていた屋根１をクレーン等の揚重機で持ち上げて移動して図３の２点鎖線で示すように第２の埋立ピット５の上を覆うように設置し、第２の埋立ピット５に対する廃棄物埋立処理を行う。第２の埋立ピット５に対する廃棄物埋立処理が終了したら、第２の埋立ピット５の上を覆うように設置されていた屋根１をクレーン等の揚重機で持ち上げて移動して同様に第３の埋立ピット６の上を覆うように設置し、第３の埋立ピット６に対する廃棄物埋立処理を行う。この場合、屋根１そのものをそのまま揚重機で持ち上げて移動してもよいし、複数の屋根ユニットを複数回に分けて移動してもよい。例えば、図１の屋根１を中央の部分で分割して、締結された屋根ユニット２Ａと屋根ユニット２Ｂとから成る２組の半体２ＡＢを２回に分けて移動してもよい。また、屋根ユニット２Ａ，２Ｂを１つずつ移動してもよい。どのように移動するかは、揚重機の揚重容量等を考慮して決めればよい。よって、従来のように屋根移動のための移動機構を不要とでき、また、従来のようにレールや車輪がさび付くことによる不具合は生じないので、従来に比べて屋根１の移動作業をスムーズに行える。また、屋根１を屋根ユニットに分割して移動すれば、小型の揚重機で屋根を移動させることができ、また、移動作業も容易になる。
即ち、同一レベル（同一高さ）に設けられた複数の埋立ピット間において屋根を移動させるために従来のようなレール及び車輪を備えた移動機構を不要とでき、また、従来のようにレールや車輪がさび付くことによる不具合は生じないので、従来に比べて屋根の移動作業をスムーズに行えることになる。さらに、各屋根ユニットを組み換えることにより、埋立ピットの開口部の大きさが異なる場合でも、埋立ピットを完全に覆うことのできる屋根を容易に構築できる。
【０００８】
また、上記では、同一レベルに設けられた複数の埋立ピット間において屋根を移動させる場合について説明したが、本発明は、レベルの異なる位置に形成された複数の埋立ピット間において屋根を移動させる場合についても適用できる。また、距離の離れた埋立ピット間において屋根を移動させる場合は、屋根１をクレーン等の揚重機で持ち上げて運搬車等に載せて運搬してから屋根１をクレーン等の揚重機で持ち上げて埋立ピットの上に設置するようしてもよい。また、リフト等の起重機で屋根１を持ち上げて移動してもよい。
【産業上の利用可能性】
【０００９】
上記では、廃棄物処理予定区域としての廃棄物最終処分埋立ピットに廃棄物を埋め立てる廃棄物処理について説明したが、本発明は、廃棄物処理予定区域としての廃棄物仮置き区域に廃棄物を仮置きする廃棄物処理や廃棄物処理予定区域としての廃棄物積替え区域に廃棄物を置く廃棄物の投入・搬入の廃棄物処理の場合にも適用できる。
【図面の簡単な説明】
【００１０】
【図１】本発明に用いる屋根の斜視図。
【図２】本発明の廃棄物処理方法を適用する廃棄物処分場を示す図であり、（ａ）は平面図、（ｂ）は縦断面図。
【図３】本発明の廃棄物処理方法を示す図。
【符号の説明】
【００１１】
１  屋根、２Ａ，２Ｂ  屋根ユニット、２ａ，２ｂ，２ｃ  骨格部材、２ｄ  シート、
４，５，６  埋立ピット（廃棄物処理予定区域）、１０  廃棄物処分場。
【図１】
2005087792.tif 000003
【図２】
2005087792.tif 000004
【図３】
2005087792.tif 000005